(57)【要約】【課題】バックシートからの排泄水分の透過を抑制することのできる吸収性物品を提供する。【解決手段】吸収性物品１００は、吸収体２０と、吸収体２０の肌非対向面側に配置されるバックシート６３とを備える。吸収性物品１００は、吸収体２０とバックシート６３とが平面視で互いに対向する対向部８１において、吸収体２０及びバックシート６３の少なくとも一方に、一方が他方に対して独立して、厚み方向に折れ曲がる屈曲部６３Ａを有する。【選択図】図３
2019176929.tif 000002
【特許請求の範囲】
【請求項１】
吸収体と、
前記吸収体の肌非対向面側に配置されるバックシートとを備え、
前記吸収体と前記バックシートとが平面視で互いに対向する対向部において、前記吸収体及び前記バックシートの少なくとも一方に、前記一方が他方に対して独立して、厚み方向に折れ曲がる屈曲部を有する
ことを特徴とする吸収性物品。
【請求項２】
前記バックシートに、前記屈曲部を有する、
請求項１に記載の吸収性物品。
【請求項３】
前記吸収体に、前記屈曲部を有する、
請求項１又は２に記載の吸収性物品。
【請求項４】
前記対向部において、前記バックシートの肌対向面側の少なくとも２箇所に、前記バックシートと前記吸収体とを接着する接着部が設けられ、
前記一方の前記接着部によって挟まれた部分に前記屈曲部を有し、
前記接着部に挟まれた範囲において、前記一方が前記他方よりも伸張状態で大きい、
請求項１〜３のいずれか１項に記載の吸収性物品。
【請求項５】
前記バックシートの肌非対向面側に配置されるカバーシートをさらに備え、
前記対向部において、前記バックシートの肌非対向面側の少なくとも２箇所に、前記バックシートと前記カバーシートとを接着する接着部が設けられ、
前記バックシートの前記接着部によって挟まれた部分に前記屈曲部を有し、
前記接着部に挟まれた範囲において、前記バックシートが前記吸収体よりも伸張状態で大きい、
請求項１〜４のいずれか１項に記載の吸収性物品。
【請求項６】
前記吸収体は、高吸収性ポリマー及び繊維材料を含有する吸収性コアを有し、
前記吸収性コアは、長手方向に沿って延在するとともに、厚み方向に貫通するスリット部を有し、
前記スリット部の外側に対応する位置に、前記接着部がそれぞれ設けられる、
請求項４または５に記載の吸収性物品。
【請求項７】
前記吸収体の幅方向両側端部に対応する位置に、前記接着部がそれぞれ設けられる、
請求項４〜６のいずれか１項に記載の吸収性物品。
【発明の詳細な説明】
【技術分野】
【０００１】
本発明は、吸収性物品に関する。
【背景技術】
【０００２】
従来、紙おむつ、尿漏れパッドや生理用ナプキンといった吸収性物品が知られている。吸収性物品は、高吸収性ポリマーを含有する吸収体と、吸収体の肌非対向面側に配置される液不透過性のバックシートとを備えている。吸収性物品は、着用者から排泄される尿や経血といった液体の水分（以降、「排泄水分」という）や固形成分等の排泄物を内部に保持して、吸収性物品から漏れ出すことを防ぐことができる。
【０００３】
吸収性物品による排泄物の吸収性能を高めるために、様々な技術が提案されている。例えば、特許文献１では、吸収体に長手方向に沿って延びるスリット部が設けられた吸収性物品が開示されている。特許文献１の吸収性物品によれば、吸収体を厚み方向に貫通するスリット部を通じて排泄水分を拡散することができ、吸収体の長手方向の広範囲において排泄水分を吸収させやすくすることができるようになっている。
【先行技術文献】
【特許文献】
【０００４】
【特許文献１】特開２０１７−１８９２４３号公報
【発明の概要】
【発明が解決しようとする課題】
【０００５】
本件は外部への排泄水分の透過を抑制することのできる吸収性物品を提供することを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００６】
ここで開示する吸収性物品は、吸収体と、前記吸収体の肌非対向面側に配置されるバックシートとを備え、前記吸収体と前記バックシートとが平面視で互いに対向する対向部において、前記吸収体及び前記バックシートの少なくとも一方に、一方が他方に対して独立して、厚み方向に折れ曲がる屈曲部を有する。
【発明の効果】
【０００７】
本件で示す吸収性物品によれば、外部への排泄水分の透過を抑制することができる。
【図面の簡単な説明】
【０００８】
【図１】第一実施形態に関する尿漏れパッドの展開図である。
【図２】第一実施形態に関する尿漏れパッドの分解斜視図である。
【図３】図１のＩＩＩ−ＩＩＩ矢視断面図である。
【図４】第二実施形態に関する尿漏れパッドの断面図であり、図１のＩＩＩ−ＩＩＩ矢視断面図に対応する箇所を示す。
【図５】第三実施形態に関する尿漏れパッドの断面図であり、図１のＩＩＩ−ＩＩＩ矢視断面図に対応する箇所を示す。
【発明を実施するための形態】
【０００９】
以下、本件を実施するための形態を説明する。下記の実施形態はあくまでも例示に過ぎず、この実施形態で明示しない種々の変形や技術の適用を排除する意図はない。本実施形態の各構成は、その趣旨を逸脱しない範囲で種々変形して実施することができる。また、
必要に応じて取捨選択することができ、適宜組み合わせることもできる。
【００１０】
実施形態で述べる吸収性物品は、着用者に装着され、着用者から排泄される尿や便等の排泄水分を吸収し保持する衛生用品である。この吸収性物品には、テープ型やパンツ型の紙おむつ（いわゆる「使い捨ておむつ」）といった吸収性物品のほか、尿漏れパッド、生理用ナプキン、パンティーライナーといった吸収性物品なども含まれる。以下の実施形態では、吸収性物品として尿漏れパッドを例示する。尿漏れパッドは通常、紙おむつの肌対向面側に装着されて用いられる。尿漏れパッドは、主に成人の要介護者に装着されて用いられる。
【００１１】
本実施形態では、尿漏れパッドについて、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、尿漏れパッドが着用者に装着された状態（以下、「装着状態」と略称する）において、着用者の肌に向かう側（装着された状態で内側）を肌対向面側とし、肌対向面側の反対側（外側）を肌非対向面側とする。さらに、肌対向面側と肌非対向面側とを結ぶ方向を厚み方向とし、長手方向と厚み方向の何れにも直交する方向を幅方向とする。その他、厚み方向の肌対向面側から視ることを平面視とする。そして、平面視での幅方向を左右ともいう。
【００１２】
本明細書において、例えば「１〜１００」との数値範囲の表記は、その下限値「１」及び上限値「１００」の双方を包含するものとする。また、他の数値範囲の表記も同様である。また、図面の寸法比率は、図示の比率に限定されるものではない。
【００１３】
［Ｉ．第一実施形態］
［Ｉ−１．構成］
［Ｉ−１−１．基本構成］
図１〜図３を参照して、尿漏れパッド１００の基本的な構成を説明する。なお、図３の断面図では、各構成を把握しやすくするため、各シート類の厚みを誇張して示している。後述する図４，図５の断面図も同様である。なお、下記の説明では、「尿漏れパッド」を単に「尿パッド」と略称する。
【００１４】
図１では、幅方向の中心線Ａを基準として対称に尿パッド１００が形成されている。この尿パッド１００は、長手方向に沿って前身頃２、股下部３、及び後身頃４の三つの領域に大別される。前身頃２は、装着状態で着用者の下腹部側に位置する領域である。後身頃４は、装着状態で着用者の臀部側に位置する領域である。股下部３は、前身頃２と後身頃４との間に位置して、装着状態で着用者の股下に位置する領域である。尿パッド１００は、前身頃２及び後身頃４において、長手方向の両側縁部から股下部３よりも幅方向外方に延出する、左右一対のサイドフラップをそれぞれ有している。
【００１５】
図３に示すように、尿パッド１００は、少なくとも吸収性コア４０を備える。さらに、尿パッド１００は、吸収性コア４０を内蔵し、溝状部２３と外周部２４とを有する吸収体２０を備える。またさらに、図２，図３に示すように、尿パッド１００は、吸収体２０と、吸収体２０に積層されるシートとを有する積層体１０を備える。積層体１０は、吸収体２０と、吸収体２０の肌対向面側に積層されるトップシート６２と、吸収体２０の肌非対向面側に積層されるバックシート６３とを備える。さらに、トップシート６２の側方（幅方向外側）と肌対向面側とに、サイドシート６４が配置される。また、バックシート６３の肌非対向面側には、カバーシート６５が積層される。積層体１０、吸収体２０、及び吸収性コア４０は、前身頃２、股下部３、及び後身頃４にわたって長手方向に設けられている。また、吸収体２０及び吸収性コア４０は、平面視で、略長方形状の外形を有している。尿パッド１００は、吸収体２０とバックシート６３とが平面視で互いに対向する対向部８１を有している。そして、尿パッド１００〜１０２では、対向部８１において、吸収体２０及びバックシート６３の少なくとも一方に、一方が他方に対して独立して、厚み方向に折れ曲がる屈曲部２０Ａ，６３Ａ，６３Ｂを有している（図３〜図５参照）。
【００１６】
図３に示すように、尿パッド１００は、吸収性コア４０と、吸収性コア４０に積層される２以上のシートを有する積層シート６０とを備えている。積層シート６０は、吸収性コア４０の長手方向に沿って幅方向中央部に少なくとも積層されるシートである。積層シート６０は、吸収性コア４０を被覆する、ラップシート６１を有している。また、積層シート６０は、ラップシート６１の肌対向面側に配置されるトップシート６２を有している。また、積層シート６０は、ラップシート６１の肌非対向面側に配置されるバックシート６３を有している。さらに、積層シート６０は、バックシート６３の肌非対向面側に配置されるカバーシート６５を有している。
以下、尿パッド１００の各構成要素について説明する。
【００１７】
〔吸収性コア〕
吸収性コア４０は、排泄水分を吸収して保持する吸液性をもつマット状（あるいはパッド状）の部材である。吸収性コア４０は、長手方向に沿って延在するとともに、厚み方向に貫通するスリット部４９を有している。すなわち、吸収性コア４０は、平面視で吸収体２０の長手方向に沿って延在するとともに、幅方向中心に設けられているスリット部４９を有する。ここでは、環状の吸収性コア４０を例示する。
【００１８】
図３に示すように、吸収性コア４０は、高吸収性ポリマー（ＳＡＰ（Superabsorbent polymer）、高吸水性高分子あるいは高吸水性樹脂とも称される）５１と、繊維材料５２とを含んでいる。吸収性コア４０は、繊維材料５２に高吸収性ポリマー５１が混合されることにより形成されている。繊維材料５２は、親水性を有する極細の繊維が絡まり合って形成されている。高吸収性ポリマー５１は、繊維材料５２に混合されることにより、通常、繊維材料５２に埋没保持されている。高吸収性ポリマー５１は、繊維材料５２によって拡散された液体を吸収し保持することができる。高吸収性ポリマー５１と繊維材料５２との含有割合は特に限定されないが、高吸収性ポリマー５１と繊維材料５２との合計含有量に対して、高吸収性ポリマー５１の含有量の割合が、通常２０〜８０％、好ましくは３０〜７０％、より好ましくは４０〜６０％である。
【００１９】
＜高吸収性ポリマー＞
高吸収性ポリマー５１としては、使い捨ておむつや尿パッドのような吸収性物品における吸収体の材料として用いられている各種公知のものを用いることができる。高吸収性ポリマー５１としては、例えば、デンプン−アクリル酸（塩）グラフト共重合体、デンプン−アクリロニトリル共重合体のケン化物、デンプン−アクリル酸エチルグラフト共重合体のケン化物等のデンプン系；ナトリウムカルボキシメチルセルロースの架橋物等のセルロース系；ポリアクリル酸（塩）、アクリル酸で架橋されたポリエチレンオキシド、ポリビニルアルコール−無水マレイン酸反応物の架橋物等の合成ポリマー系の物を用いることができる。これらの中でも、吸収性の観点から、ポリアクリル酸（塩）が好ましく、ポリアクリル酸ナトリウムがより好ましい。これらは、１種を単独で用いてもよく、２種以上を組み合わせて用いてもよい。高吸収性ポリマー５１の形状は特に限定されないが、例えば、粒状、粉体状、ペレット状、ゾル状、フィルム状、繊維状等のものを用いることができる。
【００２０】
＜繊維材料＞
繊維材料５２としては、例えば、パルプ繊維、レーヨン繊維、コットン繊維等のセルロース系の繊維や；ポリエチレン、ポリプロピレン、ポリエチレンテレフタレート等の合成繊維に親水化処理を施したものが挙げられる。中でも、吸収性の観点から、繊維又は合成繊維を粉砕あるいは解繊したフラッフパルプを用いることが好ましい。これらは、１種を単独で用いてもよく、２種以上を組み合わせて用いてもよい。
【００２１】
〔吸収体〕
吸収体２０は、吸収性コア４０を内蔵することで、吸収性コア４０と同様に吸液性をもつマット状の部材である。図１〜図３に示すように、吸収体２０は、平面視で吸収体２０の長手方向に沿って設けられる溝状部２３と、平面視で溝状部２３の幅方向外側に設けられる外周部２４とを有している。
【００２２】
図３に示すように、吸収体２０は、吸収性コア４０とラップシート６１とを有している。吸収体２０は、吸収性コア４０がラップシート６１によって被包（ラップ）されることで形成されている。ラップシート６１は、吸収性コア４０の肌対向面側と肌非対向面側とを含めて、吸収性コア４０の全体を被覆している。溝状部２３は、スリット部４９の形状にあわせて、ラップシート６１が、外周部２４よりも厚み方向に凹むことで形成されている。また、図１，図３に示すように、溝状部２３は、吸収体２０の肌対向面側において、長手方向に沿って幅方向中心に形成されている。
【００２３】
＜ラップシート＞
ラップシート６１は、吸収性コア４０を被覆するシート状の部材である。ラップシート６１によって吸収性コア４０が被包されることで、吸収性コア４０の定形性が確保される。
【００２４】
ラップシート６１は、吸収性物品に用いられている公知の材料で形成することができる。例えばティッシュペーパーのような紙；スパンボンド不織布、ニードルパンチ不織布、スパンレース不織布、エアースルー不織布、ＳＭＳ（Spunbound Meltblown Spunbound）不織布等を用いることができる。
【００２５】
〔積層体〕
図２に示すように、積層体１０は、吸収体２０の両主面側にトップシート６２とバックシート６３とがそれぞれ配置された積層構造体である。中でも、トップシート６２は、吸収体２０の肌対向面側の表面に配置される。また、バックシート６３は、吸収体２０の肌非対向面側の表面に配置される。積層体１０は、肌対向面側からの排泄水分をトップシート６２に透過させて、透過した排泄水分を吸収体２０によって吸収保持するとともに、バックシート６３によって肌非対向面側から外部への漏出を阻止する。トップシート６２及びバックシート６３と吸収体２０とは、ホットメルト接着剤等の公知の接着剤によって固定することができる。図３に示すように、積層体１０は、その肌対向面側において、溝状部２３の形状にあわせて、厚み方向に凹んでいる。
【００２６】
＜トップシート＞
トップシート６２は、積層体１０において最も肌対向面側に配置されるシート状の部材である。トップシート６２は、尿パッド１００の幅方向中央領域に設けられるため、センターシートとも称される。図３に示すように、トップシート６２は、吸収体２０よりも幅方向寸法が大きく、肌対向面側から吸収体２０の全面を被覆する。また、トップシート６２は、尿パッド１００が装着された状態において、着用者の肌に接触して、排泄水分を透過させて吸収体２０に吸収させる。このため、トップシート６２は、少なくとも一部または全部が透水性をもつ材料で構成される。また、トップシート６２は、装着状態のフィット性のため、柔軟性が高い材料で構成されることが好ましい。また、装着状態での蒸れを抑えるため、通気性を併せもつ材料で構成されることが好ましい。
【００２７】
トップシート６２を構成する材料としては、例えば、織布、不織布、多孔性フィルム等を用いることができる。または、トップシート６２としては、ポリプロピレン、ポリエチレン、ポリエステル、ナイロン等の熱可塑性樹脂の繊維に親水化処理を施して，不織布にしたものを用いてもよい。トップシート６２を構成する不織布としては、例えば、スパンボンド不織布、ニードルパンチ不織布、スパンレース不織布、エアースルー不織布、メルトブローン不織布、ＳＭＳ不織布等を用いることができる。
【００２８】
＜バックシート＞
バックシート６３は、積層体１０で最も肌非対向面側に配置されるシート状の部材である。バックシート６３は、吸収体２０及びトップシート６２よりも幅方向寸法が大きく、肌非対向面側から吸収体２０及びトップシート６２の全面を被覆する。また、バックシート６３は、吸収体２０から肌非対向面側に排泄物が漏れるのを防ぐ。このため、バックシート６３は、非透水性をもつ材料で構成される。また、バックシート６３は、装着状態での蒸れを抑えるため、透湿性を併せもつ材料で構成されることが好ましい。
【００２９】
バックシート６３を構成する材料としては、例えば、ポリエチレン、ポリプロピレン等の熱可塑性樹脂シートを用いることができる。中でも、バックシート６３としては、０．１〜０．４μｍの微細な孔が複数形成された微多孔性の熱可塑性樹脂シートを用いることが好ましい。このようなシートとしては、例えば、熱可塑性樹樹脂中に無機充填剤を混練してシートを成形した後に、延伸することにより得られるシートを用いることができる。
【００３０】
〔サイドシート、カバーシート〕
尿パッド１００は、積層体１０に対して積層されるサイドシート６４及びカバーシート６５をさらに備えている。サイドシート６４は、積層体１０の幅方向側方から肌対向面側にわたって配置される。また、カバーシート６５は、積層体１０の肌非対向面側に配置される。サイドシート６４及びカバーシート６５と積層体１０とは、ホットメルト接着剤等の公知の接着剤によって固定することができる。
【００３１】
＜サイドシート＞
サイドシート６４は、積層体１０の両側部に後述する立体ギャザー７０を形成するために幅方向両側に設けられる左右一対の部材である。図３に示すように、サイドシート６４は、トップシート６２及びバックシート６３の幅方向側方のそれぞれに設けられている。さらに、サイドシート６４は、トップシート６２及びバックシート６３の幅方向側方から、幅方向側部にかけて肌対向面側に積層される。サイドシート６４は、後述する立体ギャザー７０の収縮を利用して、着用者の肌に当接する方向に向かって起立する。
【００３２】
サイドシート６４は、幅方向側方への液漏れを防ぐため、非透水性をもつ材料で構成されることが好ましい。サイドシート６４としては、スパンボンド不織布を用いることができる。また、サイドシート６４の一部は、尿パッド１００において最も肌対向面側に配置される（このことから、サイドシート６４はトップシート６２と同様に「トップシート」とも称される）。このように着用者に対して接触しうるサイドシート６４としては、ＳＭＳ不織布やＳＭＭＳ（Spunbound Meltblown Meltblown Spunbound）不織布のようにメルトブローン層を含ませることにより、柔軟性を高めたスパンボンド不織布を用いることが好ましい。あるいは、スパンボンド不織布をなす繊維の繊度や目付量が抑えられることにより、柔軟性を向上させたスパンボンド不織布を用いることが好ましい。
【００３３】
なお、「繊度」とは、繊維の繊維径（太さ）や断面積に対応するパラメータであり、所定の長さあたりの重量で表される。例えば、一本の繊維について１００００ｍあたりのグラム数（デシテックス）が「繊度」として用いられる。
また、「目付量」とは、シートの厚みあるいは積層度合いに対応するパラメータであり、単位面積あたりの重量で表される。例えば、一平米あたりのグラム数が「目付量」として用いられる。
【００３４】
＜カバーシート＞
カバーシート６５は、積層体１０を肌非対向面側から被覆するシート状の部材である。カバーシート６５は、尿パッド１００で最も肌非対向面側に配置されることで、バックシート６３を補強し、バックシート６３の手触り（触感）を良好なものとするために用いられる。カバーシート６５は、吸収体２０、トップシート６２、及びバックシート６３よりも幅方向寸法が大きく設定され、装着状態で着用者の股下、臀部、下腹部等のまわりに配置される。
【００３５】
カバーシート６５を構成する材料としては、例えば、織布、不織布等を挙げることができる。中でも、ポリエチレン、ポリプロピレン、ポリエステル等の熱可塑性樹脂からなる不織布、湿式不織布を用いることが好ましい。特には、触感（手触り）を確保するために柔軟性の観点から、カバーシート６５としては、スパンボンド不織布を好適に用いることができる。
【００３６】
上述のように構成された尿パッド１００では、肌対向面側から肌非対向面側へ向けて、サイドシート６４、トップシート６２、吸収体２０、バックシート６３、カバーシート６５の順に各部材が積層されている。サイドシート６４とカバーシート６５とは、ホットメルト接着剤等の公知の接着剤によって貼り合わされる。
【００３７】
〔ギャザー〕
尿パッド１００には、装着状態における着用者への追従性を高めるため、立体ギャザー７０が設けられている。立体ギャザー７０は、ゴムやポリウレタン、伸縮フィルムといった伸縮性をもつ部材（伸縮性部材）を伸張状態で不織布などのシートの間に挟んで、ホットメルト、ヒートシール、超音波溶着等で固定することによって伸縮性をもたせたシート複合体から構成される。このシート複合体は、伸縮性部材が伸張状態からもと（自然長の状態）に戻ろうとする力（復元力、弾性力）でシートに細かな皺が寄った状態となる。ここでは、伸縮性部材として糸状のゴム部材（以下、「糸ゴム」と略称する）７１を例示する。
【００３８】
立体ギャザー７０は、サイドシート６４の幅方向内側端縁部が糸ゴム７１で皺寄せられることで形成されている。立体ギャザー７０は、排泄箇所の周縁で着用者に対する追従性を高めることにより、排泄物の幅方向側方への漏れを防ぐために設けられる。図１に示すように、立体ギャザー７０は、サイドシート６４の幅方向内側に配備される。図１，図２に示すように、立体ギャザー７０では、サイドシート６４の幅方向内側の端縁で長手方向に沿って糸ゴム７１が設けられている。また、図３に示すように、立体ギャザー７０では、サイドシート６４の幅方向内側の端縁部に位置するシート部６４Ａ，６５Ｂが折り曲げられて重ねられる。これらのシート部６４Ａ，６５Ｂによって、長手方向に延在する糸ゴム７１が囲まれている。
【００３９】
［Ｉ−１−２．詳細構成］
次に、尿パッド１００の詳細な構成を述べる。
【００４０】
〔屈曲部〕
尿パッド１００〜１０２は、吸収体２０及びバックシート６３の少なくとも一方に屈曲部２０Ａ，６３Ａ，６３Ｂを有する（図３〜図５参照）。吸収体２０及びバックシート６３のいずれか一方に屈曲部２０Ａ又は屈曲部６３Ａ，６３Ｂを有してもよく、吸収体２０及びバックシート６３の両方に屈曲部２０Ａ及び屈曲部６３Ａ，６３Ｂを有していてもよい。
【００４１】
屈曲部２０Ａ，６３Ａ，６３Ｂは、吸収体２０とバックシート６３とが平面視で互いに対向する対向部８１に設けられる。屈曲部２０Ａは、吸収体２０がバックシート６３に独立して、厚み方向に折れ曲がることで形成される。また、屈曲部６３Ａ，６３Ｂは、バックシート６３が吸収体２０に独立して、厚み方向に折れ曲がることで形成される。
【００４２】
ここで、厚み方向に折れ曲がるとは、通常、長手方向及び幅方向に平面状に延在して積層されている吸収体２０及びバックシート６３が、長手方向と幅方向との何れにも直交する厚み方向の肌対向面側又は肌非対向面側に向けて変形することをいう。平面状の吸収体２０及びバックシート６３の一方が厚み方向に変形することによって、吸収体２０とバックシート６３との間に間隙８３〜８５が生じる。吸収体２０及びバックシート６３の厚み方向への変形は、吸収体２０及びバックシート６３の変形によって生じる間隙８３〜８５が、排泄水分が通過できる程度の厚さを有する程度に変形するものであればよい（図３〜図５参照）。
【００４３】
厚み方向への変形の形状は特に限定されず、例えば、断面視で半円状、Ｕ字状、三角形状、矩形状、鋸歯状等の規則的な繰り返し形状のうち一つ又は二以上の組み合わせによる形状が挙げられる。または、規則的若しくはランダムな凹凸を有するエンボス形状が挙げられる。または、ランダムに変形してシワが寄った形状若しくは波打った形状が挙げられる。中でも、変形によって形成された凹部又は凸部が、長手方向又は幅方向に連続するように折れ曲がる形状が好ましい。これにより、連続している凹部又は凸部を通じて排泄水分を分散させることができる。例えば、変形によって形成された凹部又は凸部が長手方向に連続している場合には、尿道や肛門に対向する位置から、長手方向の端部側に向けて排泄水分を分散させることができる。また、例えば、変形によって形成された凹部又は凸部が幅方向に連続している場合には、排泄水分が排泄される中央部から、幅方向の端部側に向けて排泄水分を分散させることができる。また、例えば、ランダムなシワが寄るように又は波打つように折れ曲がった形状を有する場合には、シワ又は波が連続している部分に沿って、種々の方向に排泄水分を分散させることができる。
【００４４】
次に、吸収体２０又はバックシート６３が、独立して折れ曲がるとは、吸収体２０とバックシート６３とが、折れ曲がりによる変形の形状が一致しておらず、それぞれ単独で変形した形状を有していることをいう。例えば、吸収体２０及びバックシート６３のいずれか一方が平面状であって、他方が厚み方向に変形している場合には、独立して折れ曲がったものということができる。また例えば、吸収体２０及びバックシート６３の両方が規則的に厚み方向に変形している場合であって、両者の規則性が一致していない場合には、独立して折れ曲がったものということができる。また例えば、吸収体２０及びバックシート６３の両方がランダムなシワが寄ったり波打ったりするようにして変形している形状を有する場合には、通常、独立して折れ曲がったものということができる。一方で、例えば、吸収体２０及びバックシート６３の両方が重なり、一体となった状態で、断面視で同じ形状となるように折れ曲がっている場合には、独立して折れ曲がったものということができない。
【００４５】
上述の通り、吸収体２０又はバックシート６３が、独立して厚み方向に折れ曲がった屈曲部２０Ａ，６３Ａ，６３Ｂを有することで、吸収体２０とバックシート６３との間に、間隙８３〜８５が生じる。よって、この間隙８３〜８５を通じて、排泄水分を分散させることができる。
【００４６】
本実施形態の尿パッド１００では、図３に示すように、バックシート６３に、屈曲部６３Ａを有する場合を例示する。屈曲部６３Ａは、吸収体２０とバックシート６３とが平面視で互いに対向する対向部８１に設けられる。屈曲部６３Ａは、バックシート６３が、吸収体２０に対して独立して、厚み方向に折れ曲がることで形成される。ここでは、バックシート６３は、ランダムなシワが寄るように折れ曲がる形状を有している。これに対して、吸収体２０は厚み方向に折れ曲がっておらず、長手方向及び幅方向に沿った配向になっている。これにより、バックシート６３と吸収体２０との間に、シワの形状にあわせてランダムに広がる間隙８３が生じている。このようなバックシート６３の折れ曲がり形状は、図１，図３に示すように、対向部８１において、バックシート６３と吸収体２０とが接着部９３によって接着されることで形成されている。
【００４７】
〔接着部〕
上述の通り、吸収体２０とバックシート６３とは積層されており、さらに吸収体２０とバックシート６３との間に、吸収体２０とバックシート６３とを接着する接着部９３が設けられている。言い換えれば、接着部９３は、バックシート６３の肌対向面側に設けられている。
【００４８】
接着部９３は、接着剤を含有する。接着部９３に含有される接着剤としては、特に限定されず、例えば、澱粉、ホットメルト型、合成樹脂エマルジョン型、樹脂溶液型等の公知の接着剤を用いることができる。中でも、耐水性、作業性、安全性を確保する観点から、ホットメルト型の接着剤が好ましい。
【００４９】
接着部９３は、吸収体２０とバックシート６３との間において、一部に設けられていてもよく、全域にわたって設けられていてもよいが、通常、一部に設けられている。また、一部に設けられた接着部９３が複数箇所に設けられていてもよい。接着部９３が一部に設けられる場合には、例えば線状に設けられてもよく、点状に設けられてもよい。接着部９３を点状に設けることで、接着部９３による排泄水分の流通を妨げずに、吸収体２０とバックシート６３との間に排泄水分を分散させることができる。一方、接着部９３を線状に設けることで、線状に形成された接着部９３によって排泄水分をせき止めて、接着部９３を越えて排泄水分が流出することを抑えることができる。接着部９３は、設けられる位置及び目的に応じて、適宜形成することができる。
【００５０】
接着部９３は、バックシート６３の幅方向の少なくとも２箇所に設けられていることが好ましい。これにより、幅方向に複数設けられた接着部９３によって挟まれた領域に屈曲部６３Ａが形成されることで、間隙８３が生じる。そして、間隙８３を通じて、この領域での排泄水分を分散させることができる。また、幅方向に複数設けられた接着部９３によって挟まれた領域に排泄水分を留めて、接着部９３を越えて幅方向外側への排泄水分の流出を抑えることができる。中でも、スリット部４９の外側に対応する位置に、接着部９３がそれぞれ設けられていることが好ましい。特には、吸収体２０の両側の幅方向端部２０Ｂ付近に対応する位置に、接着部９３がそれぞれ設けられていることがより好ましい。
【００５１】
また、接着部９３は、バックシート６３の長手方向の少なくとも２箇所に設けられていることが好ましい。これにより、長手方向に複数設けられた接着部９３によって挟まれた領域に排泄水分を留めて、接着部９３を越えて長手方向外側への排泄水分の流出を抑えることができる。中でも、吸収体２０の両側の長手方向端部２０Ｃ付近に対応する位置に、接着部９３がそれぞれ設けられていることが好ましい。
【００５２】
本実施形態では、図１に示すように、吸収体２０の両側の幅方向端部２０Ｂに対応する位置と、吸収体２０の両側の長手方向端部２０Ｃに対応する位置とに、吸収体２０の端部周縁を一回りするようにして接着部９３が設けられている。断面視では、図３に示すように、両側の幅方向端部２０Ｂの２箇所に接着部９３が設けられている。そして、この接着部９３によって囲まれた部分に、バックシート６３が屈曲部６３Ａを有している。
【００５３】
〔変形と伸張状態〕
屈曲部６３Ａは、上述した対向部８１において互いに対向する二つの部位のうち、一方にはバックシート６３の屈曲部６３Ａが配設され、他方には吸収体２０のうち屈曲部６３Ａに対向する部位が配設される。屈曲部６３Ａのように対向部８１の一方に配設される部位を第一対向部とし、他方に配設される部位を第二対向部とすれば、これらの対向部を何れも伸長状態としたもとでは、第一対向部のほうが第二対向部よりも延在面積が大きく設定されている。言い換えれば、伸長状態での延在面積が第二対向部よりも相対的に大きい第一対向部は、屈曲されることで平面視での延在面積が第二対向部と同等にされた状態で配設されている。
【００５４】
ここでの尿パッド１００では、屈曲部６３Ａを有するバックシート６３は、接着部９３に挟まれた範囲において、吸収体２０よりも伸張状態で大きくなっている。伸張状態での大きさは、伸張状態の面積によって比較することができる。すなわち、尿パッド１００では、接着部９３に挟まれた範囲において、バックシート６３が吸収体２０よりも伸張状態での面積が大きくなっている。伸張状態の面積とは、厚み方向に折れ曲がるように変形したバックシート６３又は吸収体２０を、折れ曲がりを直すようにして平面状に伸張した状態の面積をいう。このように、吸収体２０よりも伸張状態での面積が大きいバックシート６３と、吸収体２０とは、接着部９３に挟まれた範囲において平面視での見かけ上では同面積となるようにして接着されている。このとき、バックシート６３は、周囲を接着部９３で支持された状態で、吸収体２０と平面視での見かけ上では同面積となるように接着部９３よりも内側に向けて収縮を受けることで、厚み方向にシワ状の変形を有する屈曲部６３Ａが形成される。このようにして、バックシート６３と吸収体２０との間に屈曲部６３Ａが形成されて、間隙８３が生じることになる。
【００５５】
接着部９３に挟まれた範囲において、吸収体２０とバックシート６３とのそれぞれの伸張状態の面積について、吸収体２０に対するバックシート６３の面積比は、通常１．２倍以上、好ましくは１．５倍以上、より好ましくは２倍以上、さらに好ましくは２．５倍以上である。また、通常１０倍以下、好ましくは５倍以下、より好ましくは４倍以下、さらに好ましくは３倍以下である。面積比が上記範囲の下限以上であると、吸収体２０とバックシート６３との間に間隙８３が生じやすくなる。面積比が上記範囲の上限以下であると、接着部９３によってバックシート６３が変形を受けながら、吸収体２０とカバーシート６５との間に収納されやすくなる。
【００５６】
なお、接着部９３が２点のみであって、接着部９３に挟まれた範囲における面積を比較することが困難な場合には、２点間を伸張した状態の寸法によって比較することができる。すなわち、尿パッド１００では、２点の接着部９３に挟まれた範囲において、バックシート６３が吸収体２０よりも伸張状態での寸法が大きくなっている。伸張状態の寸法とは、厚み方向に折れ曲がるように変形したバックシート６３を、折れ曲がりを直すようにして平面状に伸張した状態の寸法をいう。例えば、図３に示すように、幅方向の２点の接着部９３を設けた場合には、幅方向の寸法の大きさによって比較することができる。
【００５７】
接着部９３に挟まれた範囲において、吸収体２０とバックシート６３とのそれぞれの伸張状態の寸法について、吸収体２０に対するバックシート６３の寸法比は、通常１．１倍以上、好ましくは１．２倍以上、より好ましくは１．４倍以上、さらに好ましくは１．６倍以上である。また、通常５倍以下、好ましくは４倍以下、より好ましくは３倍以下、さらに好ましくは２倍以下である。寸法比が上記範囲の下限以上であると、吸収体２０とバックシート６３との間に間隙８３が生じやすくなる。寸法比が上記範囲の上限以下であると、接着部９３によってバックシート６３が変形を受けながら、吸収体２０とカバーシート６５との間に収納されやすくなる。
【００５８】
［Ｉ−２．作用及び効果］
本実施形態の尿パッド１００は、上述したように構成されるため、下記のような作用及び効果を得ることができる。
【００５９】
従来の吸収性物品では、例えば、着用者が一度に多量の尿を排泄した場合には、吸収体が尿を吸収しきるまでに時間を要することで、吸収体で直ちに吸収しきれなかった排泄水分が吸収体よりも肌非対向面側にまで達することがあった。このとき、通常、吸収体とこれよりも肌非対向面側の部材とは密着しているため、吸収体よりも肌非対向面側の排泄水分が分散することができずに、この排泄水分が留まった状態になることがあった。そして、この状態が続くことで、排泄水分が透過して外部に漏れだすことがあった。そこで、排泄水分の分散によって、排泄水分の透過の抑制性能が向上した積層シート及び吸収性物品が求められていた。
【００６０】
また、従来の吸収体に厚み方向に貫通するスリット部が設けられている吸収性物品では、スリット部を通じた吸収体内部への排泄水分の拡散によって、吸収性能の向上が図られていた。しかしながら、スリット部を通じて、排泄水分が厚み方向に速やかに通過するため、吸収体よりも肌非対向面側において、平面視でスリット部のある位置から排泄水分が透過しやすくなっていた。このため、排泄水分が外部に漏れ出すことがあった。そこで、スリット部の位置において排泄水分の透過を抑制することのできる吸収性物品が求められていた。
【００６１】
（１）尿パッド１００では、バックシート６３に、吸収体２０に対して独立して、厚み方向に折れ曲がる屈曲部６３Ａを有する（図３参照）。これにより、屈曲部６３Ａでは、バックシート６３の厚み方向への折れ曲がりによって、バックシート６３と吸収体２０との間に、バックシート６３と吸収体２０とが厚み方向に離隔することで間隙８３が生じる。したがって、尿パッド１００では、間隙８３を通じて、排泄水分を尿パッド１００の長手方向又は幅方向に対して分散させることができる。このとき、間隙８３を通じて分散した排泄水分を、吸収体２０からみて間隙８３の側、すなわち吸収体２０の肌非対向面側からも吸収することができる。よって、尿パッド１００では、外部への排泄水分の透過を抑制して、排泄水分の漏れ出しを抑えることができる。
【００６２】
（２）中でも、尿パッド１００では、バックシート６３に屈曲部６３Ａを有する。この場合、吸収体２０が屈曲部２０Ａを有する場合と比して、吸収体２０の折れ曲がり変形によって吸収体２０に加わる負担が少なくなる。したがって、屈曲部６３Ａによる間隙８３を維持しやすくなる。よって、尿パッド１００は、間隙８３を通じた排泄水分の分散を安定的に行うことができ、バックシート６３からの排泄水分の透過を抑制して、排泄水分の漏れ出しを抑えることができる。またこのとき、吸収体２０に加わる負担が少なくなるため、吸収体２０の内部に排泄水分を安定的に保持することができる。
【００６３】
（３）尿パッド１００は、対向部８１において、バックシート６３の肌対向面側の少なくとも２箇所に、バックシート６３と吸収体２０とを接着する接着部９３が設けられている。そして、バックシート６３の接着部９３によって挟まれた部分に屈曲部６３Ａを有している。さらに、接着部９３に挟まれた範囲において、バックシート６３が吸収体２０よりも伸張状態で大きいものである。このように、バックシート６３と吸収体２０とを接着部９３で接着することにより、接着部９３に挟まれた範囲において、伸張状態で大きいバックシート６３が厚み方向に折れ曲がるように変形して屈曲部６３Ａが形成される。したがって、バックシート６３と吸収体２０との間に間隙８３が生じる。このとき、接着部９３によって、吸収体２０に対してバックシート６３を固定することで、屈曲部６３Ａの形状を維持して、間隙８３を保持することができる。よって、尿パッド１００では、間隙８３を通じて排泄水分を分散させることによって、バックシート６３からの排泄水分の透過を抑制して、排泄水分の漏れ出しを抑えることができる。
【００６４】
（４）尿パッド１００では、吸収体２０の吸収性コア４０が厚み方向に貫通するスリット部４９を有している。これにより、スリット部４９を厚み方向に通過した排泄水分が、スリット部４９と面する側面部分から吸収体２０の内部に浸透することで、幅方向への排泄水分の拡散と吸収を促進することができる。したがって、尿パッド１００では、スリット部４９を有さないフラットな吸収体を備える場合と比して、排泄水分を速やかに吸収することができる。
さらに、尿パッド１００では、スリット部４９の外側に対応する位置に、接着部９３がそれぞれ設けられる。これにより、接着部９３によって挟まれた部分に屈曲部８２を有することで、接着部９３によって挟まれた範囲に間隙８３が生じる。
したがって、吸収性コア４０が存在しておらず比較的に厚み方向に排泄水分が通過しやすいスリット部４９の位置において、間隙８３を通じて排泄水分を分散させることができる。よって、尿パッド１００では、スリット部４９の位置でのバックシート６３からの排泄水分の透過を抑制して、排泄水分の漏れ出しを抑えることができる。
【００６５】
（５）また、尿パッド１００では、吸収体２０の幅方向端部２０Ｂに対応する位置に、接着部９３がそれぞれ設けられる。このように、吸収体２０の幅方向において、接着部９３どうしの間隔が最も広がるようして接着部９３が設けられることで、接着部９３によって挟まれた部分に形成される屈曲部６３Ａの範囲を広げることができる。これにより、屈曲部６３Ａによって生じる間隙８３の範囲を吸収体２０の幅方向端部２０Ｂにまで広げることができる。したがって、間隙８３を通じて、より広い範囲にまで排泄水分を分散させることができる。さらに、分散した排泄水分を、吸収体２０の肌非対向面側から吸収することができる。よって、尿パッド１００では、バックシート６３からの排泄水分の透過を抑制して、排泄水分の漏れ出しを抑えることができる。
【００６６】
［ＩＩ．第二実施形態］
次に、尿パッドの第二実施形態を述べる。
本実施形態の尿パッドでは、ここで説明する点を除いては、第一実施形態と同様の構成である。これらの構成については、同様の符号を付し、詳細な説明は省略する。
【００６７】
［ＩＩ−１．構成］
図４に示すように、本実施形態の尿パッド１０１では、吸収体２０に、屈曲部２０Ａを有する場合を例示する。
【００６８】
屈曲部２０Ａは、吸収体２０が、バックシート６３に対して独立して、厚み方向に折れ曲がることで形成される。ここでは、吸収体２０の幅方向中央部が、厚み方向に対して肌対向面側に向けて持ち上がるように折れ曲がる形状を有している。これに対して、バックシート６３は厚み方向に折れ曲がっておらず、長手方向及び幅方向に沿った配向になっている。これにより、バックシート６３と吸収体２０との間に、吸収体２０が持ち上がった形状にあわせて広がる間隙８４が生じている。このような吸収体２０の折れ曲がり形状は、対向部８１において、バックシート６３と吸収体２０とが、接着部９４によって接着されることで形成されている。
【００６９】
接着部９４は、バックシート６３の肌対向面側に設けられている。
尿パッド１０１では、第一実施形態と同様に、吸収体２０の両側の幅方向端部２０Ｂに対応する位置と、吸収体２０の両側の長手方向端部２０Ｃに対応する位置とに、吸収体２０の端部周縁を一回りするようにして接着部９４が設けられている。断面視では、図４に示すように、両側の幅方向端部２０Ｂの２箇所に接着部９４が設けられている。そして、この接着部９４によって囲まれた部分に、吸収体２０が屈曲部２０Ａを有している。
【００７０】
尿パッド１０１では、屈曲部２０Ａを有する吸収体２０は、接着部９４に挟まれた範囲において、バックシート６３よりも伸張状態での面積が大きくなっている。このように、バックシート６３よりも伸張状態での面積が大きい吸収体２０と、バックシート６３とは、接着部９４に挟まれた範囲において平面視での見かけ上では同面積となるようにして接着されている。このとき、吸収体２０は、周囲を接着部９４で支持された状態で、バックシート６３と平面視での見かけ上では同面積となるように接着部９４よりも内側に向けて収縮を受けることで、中央部が厚み方向の肌対向面側に持ち上がった形状の変形を有する屈曲部２０Ａが形成される。このようにして、吸収体２０とバックシート６３との間に屈曲部２０Ａが形成されて、間隙８４が生じることになる。
【００７１】
［ＩＩ−２．作用及び効果］
本実施形態の尿パッド１０１は、上述したように構成されるため、第一実施形態で上述した作用及び効果のほか、下記のような作用及び効果を得ることができる。
【００７２】
（１）尿パッド１０１では、吸収体２０に、バックシート６３に対して独立して、厚み方向に折れ曲がる屈曲部２０Ａを有する（図４参照）。これにより、屈曲部２０Ａでは、吸収体２０の厚み方向への折れ曲がりによって、吸収体２０とバックシート６３との間に、吸収体２０とバックシート６３とが厚み方向に離隔することで間隙８４が生じる。したがって、尿パッド１０１では、間隙８４を通じて、排泄水分を尿パッド１０１の長手方向又は幅方向に対して分散させることができる。このとき、間隙８４を通じて分散した排泄水分を、吸収体２０からみて間隙８４の側、すなわち吸収体２０の肌非対向面側からも吸収することができる。よって、尿パッド１０１では、バックシート６３からの排泄水分の透過を抑制して、排泄水分の漏れ出しを抑えることができる。
【００７３】
（２）中でも、尿パッド１０１では、吸収体２０に屈曲部２０Ａを有する。この場合、屈曲部２０Ａにより肌対向面側に持ち上がった吸収体２０の肌非対向面側に、バックシート６３により下支えされる間隙８４ができる。この間隙８４では、バックシート６３が屈曲部６３Ａを有する場合と比して、バックシート６３が比較的に平坦な形状を有するため、排泄水分がバックシート６３上を拡散しやすい。よって、尿パッド１０１は、間隙８４を通じた排泄水分の分散により、バックシート６３からの排泄水分の透過を抑制して、排泄水分の漏れ出しを抑えることができる。
【００７４】
（３）尿パッド１０１は、対向部８１において、バックシート６３の肌対向面側の少なくとも２箇所に、吸収体２０とバックシート６３とを接着する接着部９４が設けられている。そして、吸収体２０の接着部９４によって挟まれた部分に屈曲部２０Ａを有している。さらに、接着部９４に挟まれた範囲において、吸収体２０がバックシート６３よりも伸張状態で大きいものである。このように、吸収体２０とバックシート６３とを接着部９４で接着することにより、接着部９４に挟まれた範囲において、伸張状態で大きい吸収体２０が厚み方向に折れ曲がるように変形して屈曲部２０Ａが形成される。したがって、吸収体２０とバックシート６３との間に間隙８４が生じる。このとき、接着部９４によって、バックシート６３に対して吸収体２０を固定することで、屈曲部２０Ａの形状を維持して、間隙８４を保持することができる。よって、間隙８４を通じて排泄水分を分散させることによって、バックシート６３からの排泄水分の透過を抑制して、排泄水分の漏れ出しを抑えることができる。
【００７５】
［ＩＩＩ．第三実施形態］
次に、尿パッドの第三実施形態を述べる。
本実施形態の尿パッドでは、ここで説明する点を除いては、第一実施形態と同様の構成である。これらの構成については、同様の符号を付し、詳細な説明は省略する。
【００７６】
［ＩＩＩ−１．構成］
図５に示すように、本実施形態の尿パッド１０２では、バックシート６３に、屈曲部６３Ｂを有する場合を例示する。
【００７７】
第一実施形態では、図３を参照して説明したように、吸収体２０とバックシート６３との間に、吸収体２０とバックシート６３とを接着する接着部９３が設けられていた。これに対し、尿パッド１０２では、図５に示すように、対向部８１において、バックシート６３の少なくとも２箇所に、バックシート６３とカバーシート６５とを接着する接着部９５が設けられている。言い換えれば、接着部９４は、バックシート６３の肌非対向面側に設けられている。
【００７８】
尿パッド１０２では、第一実施形態と同様に、吸収体２０の両側の幅方向端部２０Ｂに対応する位置と、吸収体２０の両側の長手方向端部２０Ｃに対応する位置とに、吸収体２０の端部周縁を一回りするようにして接着部９５が設けられている。断面視では、図５に示すように、両側の幅方向端部２０Ｂの２箇所に接着部９５が設けられている。そして、この接着部９５によって囲まれた部分に、バックシート６３が屈曲部６３Ｂを有している。
【００７９】
尿パッド１０２では、屈曲部６３Ｂを有するバックシート６３は、接着部９５に挟まれた範囲において、吸収体２０よりも伸張状態での面積が大きくなっている。このように、吸収体２０よりも伸張状態での面積が大きいバックシート６３と、吸収体２０とは、接着部９５に挟まれた範囲において平面視での見かけ上では同面積となるようにして接着されている。このとき、バックシート６３は、周囲を接着部９５で支持された状態で、吸収体２０と平面視での見かけ上では同面積となるように接着部９５よりも内側に向けて収縮を受けることで、厚み方向にシワ状を有する屈曲部６３Ｂが形成される。このようにして、バックシート６３と吸収体２０との間に屈曲部６３Ｂが形成されて、間隙８５が生じることになる。
【００８０】
［ＩＩＩ−２．作用及び効果］
本実施形態の尿パッド１０２は、上述したように構成されるため、第一実施形態で上述した作用及び効果のほか、下記のような作用及び効果を得ることができる。
【００８１】
（１）尿パッド１０２では、対向部８１において、バックシート６３の肌非対向面側の少なくとも２箇所に、バックシート６３とカバーシート６５とを接着する接着部９５が設けられている。そして、バックシート６３の接着部９５によって挟まれた部分に屈曲部６３Ｂを有している。さらに、接着部９５に挟まれた範囲において、バックシート６３が吸収体２０よりも伸張状態で大きいものである。このように、バックシート６３とカバーシート６５とを接着部９５で接着することにより、接着部９５に挟まれた範囲において、伸張状態で大きいバックシート６３が厚み方向に折れ曲がるように変形して屈曲部６３Ｂが形成される。したがって、バックシート６３と吸収体２０との間に間隙８５が生じる。このとき、接着部９５によって、カバーシート６５に対してバックシート６３を固定することで、屈曲部６３Ｂの形状を維持して、間隙８５を保持することができる。よって、尿パッド１０２では、間隙８５を通じて排泄水分を分散させることによって、バックシート６３からの排泄水分の透過を抑制して、排泄水分の漏れ出しを抑えることができる。
【００８２】
［ＩＩＩ．その他］
上記の実施形態の説明では、図３〜５に示すように、両側の幅方向端部２０Ｂの２箇所に接着部９３〜９５が設けられている場合を例示した。尿パッド１００〜１０２は、接着部９３〜９５によって挟まれた部分に屈曲部２０Ａ，６３Ａ，６３Ｂを有し、この屈曲部２０Ａ，６３Ａ，６３Ｂにより生じる間隙８３〜８５によって排泄水分を分散させることができるものであればよく、接着部９３〜９５の位置、形状、数量は特に限定されない。例えば、接着部９３〜９５は中央部に設けられていてもよく、幅方向に向けて延びる線状に設けられていてもよく、幅方向にさらに複数個設けられていてもよい。
【００８３】
ただし、第一実施形態及び第二実施形態において、接着部９３，９４が設けられる部分では、吸収体２０とバックシート６３とが接着されることで、接着部９３，９４が設けられた部分での吸収体２０とバックシート６３との間の排泄水分の分散が妨げられる。このため、接着部９３，９４は、スリット部４９に対応する位置を避けて、スリット部４９の外側に対応する位置に設けられることが好ましい。また、吸収体２０の端部に対応する位置以外に設けられる接着部９３，９４は、線状又は面状に設けられるよりも、点状に設けられることが好ましい。これにより、間隙８３，８４を通じた排泄水分の分散を良好に行うことができる。
【符号の説明】
【００８４】
１００，１０１，１０２  尿パッド
２  前身頃
３  股下部
４  後身頃
１０  積層体
２０  吸収体
２０Ａ  吸収体の屈曲部
２３  溝状部
２４  外周部
２５  中央部
４０  吸収性コア
４９  スリット部
５１  高吸収性ポリマー
５２  繊維材料
６１  ラップシート
６２  トップシート
６３  バックシート
６３Ａ，６３Ｂ  バックシートの屈曲部
６４  サイドシート
６５  カバーシート
８１  対向部
８３，８４，８５  間隙
９３，９４，９５  接着部
【図１】
2019176929.tif 000003
【図２】
2019176929.tif 000004
【図３】
2019176929.tif 000005
【図４】
2019176929.tif 000006
【図５】
2019176929.tif 000007